(57)【特許請求の範囲】
【請求項１】
紙幣取扱装置であって、
紙幣の入金、および該入金された紙幣の返却をするための入出金口と、
紙幣の真偽を鑑別する鑑別部と、
該鑑別部に紙幣を搬送する搬送部と、
鑑別された紙幣を一時的に保管する保管部と、
予め設定された要注意口座を対象として紙幣の入金を伴う取引が行われた場合に、前記返却を経ずに、前記保管されている紙幣を再鑑別するよう前記鑑別部および搬送部を制御する再鑑別制御部とを備える紙幣取扱装置。
【請求項２】
紙幣取扱装置であって、
紙幣の入金、および該入金された紙幣の返却をするための入出金口と、
紙幣の真偽を鑑別する鑑別部と、
該鑑別部に紙幣を搬送する搬送部と、
鑑別された紙幣を一時的に保管する保管部と、
従前の鑑別によって、真券以外の券が所定の枚数以上、検出された場合に、前記返却を経ずに、前記保管されている紙幣を再鑑別するよう前記鑑別部および搬送部を制御する再鑑別制御部とを備える紙幣取扱装置。
【請求項３】
請求項１または２に記載の紙幣取扱装置であって、
前記再鑑別制御部は、前記再鑑別の実行時には、前記鑑別部における鑑別条件を変更させる紙幣取扱装置。
【請求項４】
請求項３記載の紙幣取扱装置であって、
前記鑑別部は、前記紙幣の画像データに基づく鑑別を実行し、
前記再鑑別制御部は、前記再鑑別の実行時には、前記鑑別部に、該画像データの解像度を高めた鑑別を行わせる紙幣取扱装置。
【請求項５】
請求項４記載の紙幣取扱装置であって、
前記鑑別部は、
前記紙幣の画像データを取得し、保持する画像保持部と、
該画像データの解像度を低減して鑑別を行う低解像度鑑別部と、
前記再鑑別の実行時に、前記画像データを用いて鑑別を行う高解像度鑑別部とを備える紙幣取扱装置。
【請求項６】
請求項３記載の紙幣取扱装置であって、
前記鑑別部は、複数種類の鑑別方法による鑑別が可能であり、
前記再鑑別制御部は、前記再鑑別の実行時には、前記鑑別部に、従前の鑑別と異なる種類の鑑別を含めた鑑別を行わせる紙幣取扱装置。
【請求項７】
請求項３記載の紙幣取扱装置であって、
前記鑑別部は、前記紙幣の一部の領域から得られる情報に基づいて鑑別を行い、
前記再鑑別制御部は、前記再鑑別の実行時には、前記紙幣の搬送状態が従前とは異なるよう前記搬送部を制御することにより、前記領域を変更した鑑別を行わせる紙幣取扱装置。
【請求項８】
請求項１または２に記載の紙幣取扱装置であって、
前記再鑑別制御部は、従前の鑑別結果に関わらず、保管されている全紙幣について前記再鑑別を行わせる紙幣取扱装置。
【請求項９】
紙幣取扱装置の制御方法であって、
紙幣の入金、および該入金された紙幣の返却をするための入出金口から紙幣を搬送する工程と、
該搬送された紙幣の真偽を鑑別する工程と、
該鑑別された紙幣を一時的に保管する工程と、
予め設定された要注意口座を対象として紙幣の入金を伴う取引が行われた場合に、前記返却を経ずに、前記保管されている紙幣の再鑑別を行う工程とを備える紙幣取扱装置の制御方法。
【請求項１０】
紙幣取扱装置の制御方法であって、
紙幣の入金、および該入金された紙幣の返却をするための入出金口から紙幣を搬送する工程と、
該搬送された紙幣の真偽を鑑別する工程と、
該鑑別された紙幣を一時的に保管する工程と、
従前の鑑別によって、真券以外の券が所定の枚数以上、検出された場合に、前記返却を経ずに、前記保管されている紙幣の再鑑別を行う工程とを備える紙幣取扱装置の制御方法。
【発明の詳細な説明】
【０００１】
【発明の属する技術分野】
本発明は、紙幣の入出金を行う紙幣取扱装置に関する。
【０００２】
【従来の技術】
金融機関等でユーザに対する入出金に現金自動取引装置（以下、ＡＴＭという）が使用されている。ＡＴＭは、紙幣の繰り出し、集積、放出を行うための紙幣取扱装置を内蔵している。入金時には、紙幣取扱装置は、入金口から繰り出された紙幣の金種・真偽を鑑別して、真券と判断された紙幣を一次保管庫に保管し、その他の紙幣を入出金口に返却する。鑑別は、紙幣の光学特性、電磁気特性、紙厚などに基づいて行われる。その後、ユーザが入金金額を確認すると、紙幣取扱装置は、一次保管庫に保管されていた紙幣を、金種ごとに保管庫に収納する。これと併せて、ＡＴＭは、入金金額、口座情報などを、ホストコンピュータに通知する。
【０００３】
【発明が解決しようとする課題】
近年、偽券の精度が向上しており、従来の鑑別では、偽券を誤って真券と誤判定する可能性が高まってきた。かかる誤判定を抑制するための対策として、真偽鑑別の判断基準を厳しくする方法、鑑別に使用される画像情報等をより細かくする方法が考えられる。
【０００４】
しかし、前者の方法では、判断基準を厳しくすることにより、使用により損傷した真券が、偽券と誤判断されるおそれがある。後者の方法では、多量の情報を用いて鑑別を行うため、鑑別に要する時間が長くなるおそれがある。いずれの場合にも、自動取引装置の利便性を損ねてしまう。
【０００５】
本発明は、自動取引装置の利便性を極端に損ねることなく、紙幣の真偽鑑別の精度を向上することを目的とする。
【０００６】
【課題を解決するための手段】
上記課題の少なくとも一部を解決するために、本発明では、紙幣取扱装置において、所定の条件（以下、再鑑別条件と呼ぶ）を満たす場合に、入金された紙幣の再鑑別を行うものとした。本発明の紙幣取扱装置は、入出金口から繰り出された紙幣を、搬送しつつ金種・真偽の鑑別を行う。鑑別済みの紙幣は、別途、入金指示がされるまで保管部に一時的に保管される。保管部は、一時的な保管専用に設けられたものであってもよいし、入出金口を兼用してもよい。上述の再鑑別は、この状態において、予め設定された再鑑別条件を満たす場合に行われる。通常、入金時に真券と判断できない紙幣が存在した場合、紙幣取扱装置は、これらの紙幣を入出金口からユーザに返却し、ユーザが再挿入した紙幣について改めて鑑別を行う。これに対し、本発明では、紙幣取扱装置は、入金された紙幣を入出金口からユーザに返却することなく、この再鑑別を行う。
【０００７】
本発明の紙幣取扱装置によれば、再鑑別を行うことにより、紙幣の真偽鑑別の精度を向上することができる。再鑑別は、常に行われるものではなく、再鑑別条件を満足する場合に行われるため、鑑別の所要時間が長くなることを回避でき、装置の利便性低下を抑制することができる。紙幣をユーザに返却することなく、再鑑別を行うため、ユーザに煩雑な操作を強いることもない。
【０００８】
本発明において、再鑑別条件は、種々の設定が可能である。
例えば、予め設定された要注意口座を対象とし、紙幣の入金を伴う取扱が行われた時に再鑑別を実行するものとしてもよい。要注意口座とは、偽券の入金が行われる可能性があると推測される口座であり、過去の取引経緯などに応じて予め設定しておくことができる。要注意口座は、紙幣取扱装置自体に予め記憶させておくものとしてもよいし、通信回線で接続されたホストコンピュータに記憶させておくものとしてもよい。後者の態様によれば、多数の紙幣取扱装置の再鑑別条件を、比較的容易に同期して更新させることができる利点がある。後者の態様では、要注意口座に該当するか否かの判断を、紙幣取扱装置で行うものとしてもよいし、ホストコンピュータ側で行うものとしてもよい。ホストコンピュータ側で行う場合には、要注意口座に該当する旨を示す情報を受信した場合に、再鑑別条件を満足したものと紙幣取扱装置が判断して再鑑別を実行するよう構成すればよい。
【０００９】
別の例として、従前の鑑別によって、真券以外の券が所定の枚数以上、検出されている時に、再鑑別を実行するものとしてもよい。判断基準となる枚数は、予め固定された値であってもよいし、入金された紙幣枚数に応じて定まる値であってもよい。こうすることにより、真券以外の券とは、真偽鑑別によって偽券と判断された紙幣、および真偽が十分に判断つかない疑問券と判断された紙幣の双方を含む。
【００１０】
本発明では、従前の鑑別と同じ鑑別条件で再鑑別を行うものとしてもよいが、鑑別条件を変更することが好ましい。多様な条件で真偽鑑別することにより、鑑別精度の向上を図ることができる。
【００１１】
鑑別条件の変更は、種々の態様を採ることができる。
第１の態様として、紙幣取扱装置が実行する鑑別項目に、紙幣をスキャンした画像データに基づく鑑別が含まれる場合、再鑑別時には、画像データの解像度を高めることが好ましい。解像度を高めることにより、鑑別精度の向上を図ることができる。
【００１２】
この場合、当初の鑑別時には低解像度でスキャンし、再鑑別時に改めて高解像度でスキャンするものとしてもよい。また、最初から高解像度でスキャンした画像を保持しておき、当初の鑑別時にはその解像度を低減した画像データを用いるものとしてもよい。後者の態様によれば、再鑑別時に紙幣を再搬送する必要がないため、処理の簡素化を図ることができる利点がある。高解像度でスキャンする場合には、画像データを取得可能な速度に応じて、紙幣の搬送速度を低下させることが好ましい。
【００１３】
第２の態様として、再鑑別の実行時には、従前とは異なる種類の鑑別を含めてもよい。真偽鑑別は、画像データの解析、所定波長の光に対する光学特性、磁気特性、紙面の凹凸パターン、偽券の画像上の特徴を記録した偽券パターンとの比較など種々の方法によって行うことができる。再鑑別時に、これらのうち、従前の鑑別で行われていない種類の鑑別を含めることにより精度向上を図ることができる。再鑑別時には、従前の鑑別を省略して新たな種類の鑑別に変更してもよいし、従前の鑑別は行った上で新たな種類の鑑別を追加してもよい。
【００１４】
第３の態様として、再鑑別時には、紙幣の搬送状態を変更してもよい。光学特性による鑑別など、紙幣の一部の領域から得られる情報に基づいて鑑別を行う場合には、搬送状態を変更することにより、鑑別に利用される領域を変更することができ、鑑別の精度を向上することができる。搬送状態の変更は、例えば、搬送方向に交差する方向に紙幣の位置をシフトしたり、搬送方向に対して紙幣を傾けたり、紙幣の表裏を反転させたりすることで実現できる。
【００１５】
本発明の紙幣取扱装置では、従前の鑑別によって真券ではないと判断された紙幣についてのみ再鑑別を行うものとしてもよい。また、従前の鑑別結果に関わらず、保管されている全紙幣について再鑑別を行ってもよい。後者の態様では、従前の鑑別で真券と誤判断された紙幣を、再鑑別で発見することができ、鑑別精度をより向上することができる。複数回の鑑別で、真偽の鑑別結果が分かれた紙幣については、更に再鑑別を行うものとしてもよいし、後に行った鑑別を優先的に採用するものとしてもよい。
【００１６】
本発明は、上述した紙幣取扱装置に限らず種々の態様で構成することが可能である。例えば、紙幣取扱装置において紙幣の鑑別を制御する制御方法として構成してもよい。コンピュータによりこの制御を実現するためのコンピュータプログラムおよびこれを記録した記憶媒体として構成してもよい。ここで、記憶媒体としては、フレキシブルディスクやＣＤ−ＲＯＭ、ＤＶＤ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読取り可能な種々の媒体を利用できる。
【００１７】
【発明の実施の形態】
以下、本発明の実施の形態について、以下の項目に分けて説明する。
Ａ．全体構成：
Ｂ．紙幣取扱装置：
Ｃ．機能ブロック：
Ｄ．入金処理：
Ｅ．変形例：
【００１８】
Ａ．全体構成：
図１は実施例としての現金自動取引装置の概略構成を示す説明図である。現金自動取引装置は、銀行などに設置され、ユーザの操作に応じて入出金処理を行うための装置である。
【００１９】
本実施例の現金自動取引装置（以下、ＡＴＭという）には、次のユニットが図示する配置で備えられている。カード取扱機構２０５は、いわゆるキャッシュカードなど磁気ストライプカードに記録された情報を読みとる。カードに記録された情報には、例えば、金融機関番号、科目、ユーザの口座番号などが含まれる。
【００２０】
操作部２０３は、入出金取引のための情報表示および入出金のための操作入力を行うためのユーザとのインタフェースである。本実施例では、タッチパネルを用いるものとしたが、ディスプレイと押しボタンスイッチなどの組み合わせで構成してもよい。
【００２１】
ユーザとの紙幣の授受は、紙幣入出金口２０７を通じて行われる。入金時には、ユーザが紙幣入出金口２０７に入れた紙幣は、内蔵された紙幣取扱装置１０によって、鑑別され、金種ごとに分類されて保管される。出金時には、紙幣取扱装置１０は、ユーザの指示した金額分の紙幣を繰り出し、紙幣入出金口２０７からユーザに受け渡す。明細票発行機構２０６は、これらの取引の内容を記録した明細票を発行する。
【００２２】
ＡＴＭの各ユニットの動作は、制御ユニット２０２によって制御される。制御ユニット２０２は、内部にＣＰＵ、メモリを備えたマイクロコンピュータとして構成されている。制御ユニット２０２は、図中に矢印で示す通り、各ユニットと情報の授受を行い、ＡＴＭ全体の動作を制御する。制御ユニット２０２は、ホストコンピュータ３００と通信回線で接続されている。制御ユニット２０２が、取引に関する情報をホストコンピュータ３００に送信することにより、ユーザの口座への入出金などの処理がホストコンピュータ３００側で行われる。
【００２３】
本実施例では、後述する通り、予め設定された要注意口座を対象とした取引がおこなわれた場合など、一定の条件下で、ＡＴＭは入金された紙幣の再鑑別を実行する。ホストコンピュータ３００には、要注意口座データベース３１０が備えられており、ＡＴＭは、ホストコンピュータ３００との通信によって、取引対象となっている口座が、要注意口座であるか否かを判断することができる。
【００２４】
Ｂ．紙幣取扱装置：
図２は紙幣取扱装置１０の概略構成を示す側断面図である。入出金部１は、ユーザへの紙幣の授受を行うための空隙である。入出金部１の入り口には、シャッタ６が設けられている。このシャッタ６は先に説明したＡＴＭの紙幣入出金口２０７と連動して自動的に開閉する。
【００２５】
紙幣取扱装置１０の内部には、出金に使用できる正常な紙幣（以下、「真券」と呼ぶ）を保管するための保管庫１２〜１４、異常があると判定された紙幣（以下、「リジェクト券」と呼ぶ）を保管するリジェクトボックス１１、装置内での搬送過程において一時的に保管する一時保管庫４が備えられている。
【００２６】
保管庫に保管される金種は、保管庫単位で予め決められている。保管庫１２には、庫内での紙幣の配列順序が混乱しないように、紙幣を整然と保持するための可動式の押板１２Ａが設けられている。他の保管庫１３、１４にも同様の押板が設けられている。
【００２７】
入出金部１および各保管庫間の紙幣の搬送は、搬送部２によって行われる。搬送部２は、ローラ、ベルトなどの搬送機構を利用して、紙幣を搬送するための機構である。搬送部２の経路には、紙幣の搬送先を切り換えるためのゲートが設けられている。ゲート５は、一時保管庫４と入出金部１との切り換えを行う。ゲート７は、搬送先をリジェクトボックス１１に切り換える。ゲート８およびゲート９は、搬送先を各保管庫１２〜１４に切り換える。
【００２８】
搬送部２の経路上には、鑑別部３０が設けられている。鑑別部３０は光学センサその他のセンサによって、通過する紙幣を一枚ずつ鑑別し、その結果を出力する。鑑別結果には、紙幣の金種、真偽などが含まれる。
【００２９】
図３は鑑別部３０の概略構成を示す説明図である。鑑別部３０を上方から見た平面図である。紙幣鑑別装置は、回転軸３３に取付られたローラ３４によって、紙幣Ｂを図中の矢印で示す方向に搬送速度Ｖｐで搬送する。イメージセンサ３１は、搬送過程で、紙幣Ｂの全面を光学的にスキャンする。スキャンされた画像データは、外形寸法のチェックや金種・真偽の鑑別に利用される。イメージセンサ３１は、低解像度モード、高解像度モードの二つのモードでスキャンすることができる。高解像度モードにおける搬送速度Ｖｐは低解像度モードの場合よりも低くなるよう、モードの選択とともに搬送速度Ｖｐも制御される。本実施例では、高解像度モードでは、低解像度モードの約１／２の搬送速度に設定した。
【００３０】
磁気センサ３５は、紙幣Ｂの磁気特性を検出する。光学センサ３２は、紙幣Ｂに紫外線を照射した場合の分光特性を検出する。磁気特性、分光特性は、各センサ直下の紙幣Ｂを搬送方向に読み取るため、紙幣Ｂのシフトが鑑別結果に影響を与える場合もある。本実施例では、光学および磁気パターンの画像データ、外形寸法、特定波長の光に対する分光特性を用いて紙幣の真偽を鑑別するものとしたが、これとは異なる鑑別方法を用いるものとしてもよい。また、各センサの個数、配置は、図示した例に限定されず、任意に設定可能である。
【００３１】
鑑別は、入金計数時、入金収納時、出金時にそれぞれ行われる。入金計数とは、入出金部１から紙幣を計数しながら一時保管庫４に紙幣を搬送する処理である。入金収納とは、計数された金額をユーザが確認し、入金指示を出した後に行われる処理であり、一時保管庫４の紙幣を金種ごとに各保管庫１２〜１４に収納する処理である。出金とは、各保管庫１２〜１４からの出金処理である。鑑別部３０によって、繰り出しに異常があったと判定された紙幣、汚損が激しいと判定された紙幣などは、リジェクト券として扱われる。入金収納時および出金時にリジェクト券と判定された紙幣は、リジェクトボックス１１に収納される。入金計数時にリジェクト券と判定された紙幣は、入出金部１に戻される。
【００３２】
図示を省略したが、紙幣取扱装置１０の内部には制御ユニットが備えられている。制御ユニットは、内部にＣＰＵ、メモリを備えるマイクロコンピュータとして構成されており、予め用意されたプログラムに従って、鑑別部３０での鑑別も含め、紙幣取扱装置１０の動作を制御する。
【００３３】
Ｃ．機能ブロック：
図４はＡＴＭおよび紙幣取扱装置１０の機能ブロックを示す説明図である。図中の各機能ブロックは、ＡＴＭの制御ユニット２０２および紙幣取扱装置１０の制御ユニット内にそれぞれソフトウェア的に構築されている。これらの機能ブロックは、ハードウェア的に構成することも可能である。
【００３４】
ＡＴＭ側の機能ブロックは、主制御部２１０の制御下でそれぞれ以下の機能を奏する。コマンド入力部２１２は、ユーザからのコマンドを入力する。例えば、取引内容の選択、入金時の金額の確認、出金すべき金額の指定などが含まれる。また、併せてキャッシュカード等から入出金の対象となる口座情報を取得する。金種、枚数設定部２１４は、指定された金額に基づいて金種ごとの出金枚数を設定する。ホスト通信部２１６は、取引に関する種々の情報をホストコンピュータ３００と通信する。ＡＴＭからホストコンピュータ３００に送信する情報としては、取引対象となる口座、入出金される金額、暗証番号などが挙げられる。ホストコンピュータ３００からＡＴＭに送信される情報としては、要注意口座フラグが挙げられる。要注意フラグとは、取引対象の口座が、要注意口座に相当するか否かを示すフラグである。こうして取得等された種々の情報は、指示部２１８を介して紙幣取扱装置１０に送信される。
【００３５】
紙幣取扱装置１０側の各機能ブロックは、主制御部１０５の制御下でそれぞれ以下の機能を奏する。
【００３６】
ＡＴＭ通信部１０２は、指示部２１８との間で情報の授受を行う。例えば、ＡＴＭ側の制御ユニット２０２からの指示内容を主制御部１０５に伝達したり、紙幣取扱装置１０での処理結果を制御ユニット２０２に送信したりする。入出金制御部１０４は、入金計数、入金収納、出金などの処理を実行する。
【００３７】
鑑別実行部１０６は、鑑別部３０を制御して紙幣の鑑別を行う。イメージセンサ３１でスキャンされた紙幣の画像データ１０８を保持するとともに、これを用いて鑑別を行う。本実施例では、後述する通り、鑑別済みの紙幣の再鑑別を行う場合がある。再鑑別は、鑑別条件を変更して実行される。鑑別条件は、鑑別項目リスト１０７に予め設定されている。図中に鑑別条件を例示した。この例では、紙幣の画像データ１０８を用いた鑑別について、通常時には低解像度のイメージを用い、再鑑別時には高解像度のイメージを用いるよう設定されている。また、偽券パターンとのマッチングについて、通常時には行わず、再鑑別時に行うよう設定されている。偽券パターンとのマッチングとは、予め登録された偽券パターンデータ１０９、即ち、偽券の特徴を抽出した画像データと画像データ１０８との比較による真偽鑑別である。鑑別実行部１０６は、この鑑別項目リスト１０７を参照し、通常鑑別と再鑑別とで鑑別条件の切り換えを実行する。
【００３８】
Ｄ．入金処理：
図５は入金処理のフローチャートである。紙幣取扱装置１０の制御ユニットが実行する処理である。この処理は、ユーザがＡＴＭで「預け入れ」、「現金での振込」など入金を伴う取引を選択した後、入出金部１に紙幣が挿入されたことをトリガとして開始される。
【００３９】
処理が開始されると、制御ユニットは、入出金部１から紙幣を繰り出し（ステップＳ１０）、鑑別処理を行う（ステップＳ１１）。この時点では、先に説明した鑑別項目リスト１０７における通常時の条件に基づいて鑑別を実行する。真券と鑑別された紙幣は、一時保管庫４に保管され、リジェクト券と鑑別された紙幣は入出金部１に戻される。
【００４０】
制御ユニットは、全紙幣の鑑別が完了すると、予め設定された再鑑別条件が満たされているか否かの判定を行う（ステップＳ１２）。図中に再鑑別条件を例示した。本実施例では、リジェクト率が所定値Ｔｈ（％）よりも大きいこと（条件１）、取引の対象となる口座が要注意口座であること（条件２）の少なくとも一方を満足するときに再鑑別条件を満足するものとした。リジェクト率とは、鑑別を行った全紙幣のうち、リジェクト券と判定された紙幣の割合をいう。所定値Ｔｈは、０も含めて任意に設定可能であり、例えば、真券のみを使用する場合に統計的に得られるリジェクト率の最大値よりも大きい範囲に設定することができる。再鑑別条件は、ここに例示したリジェクト率に限らず、リジェクト券の枚数で設定してもよい。
【００４１】
要注意口座であるか否かの判定は、本実施例ではホストコンピュータ３００で行うものとした。ホストコンピュータ３００は、ＡＴＭから取引対象の口座番号を受信し、要注意口座データベース３１０に登録されて要注意口座か否かの照合を行い、結果を要注意フラグの形式でＡＴＭに返信する。制御ユニットは、このフラグによって、要注意口座であるか否かの判断をすることができる。要注意口座データベース３１０を、制御ユニット内に保持しておき、これを参照することで、制御ユニット自身が上記判断を行うものとしてもよい。
【００４２】
上述の条件を満足する場合、即ち、再鑑別が必要と判断される場合には（ステップＳ１３）、制御ユニットは、再鑑別を実行する。この際、先に説明した鑑別項目リスト１０７によって鑑別条件を再鑑別モードに切り換える（ステップＳ１４）。本実施例では、イメージセンサ３１を高解像度モードにし、新たな鑑別項目として偽券パターンマッチングを追加する。これと併せて紙幣の搬送位置をシフトするものとした。
【００４３】
こうして制御ユニットは、ステップＳ１０〜Ｓ１３までの処理を再度実行する。再鑑別は、入出金部１に戻されている紙幣、即ち最初の鑑別でリジェクト券と判断された紙幣のみを対象として行ってもよいが、本実施例では、一時保管庫４の紙幣も含めて全紙幣を対象とする。つまり、制御ユニットは、一時保管庫４の紙幣を一旦、全て入出金部１に戻し、その後、全紙幣を入出金部１から鑑別部３０を通して搬送しなおすことで、再鑑別を実行する。この再鑑別は、入出金部１のシャッタ６は閉じたまま、ユーザにリジェクト券を返却することなく行われる。
【００４４】
再鑑別時には、制御ユニットは、鑑別処理（ステップＳ１１）において、高解像度で画像のスキャンを行い、これに基づいて真偽鑑別する。高解像度で画像をスキャンすることにより、より精細な真偽鑑別が可能となり精度を向上することができる。また、取得された画像データと真券との整合性を比較するだけでなく、偽券パターンデータとの比較も行う。鑑別項目を増やすことにより、鑑別精度の向上を図ることができる。更に、紙幣の搬送位置がシフトされているため、磁気特性、分光特性による鑑別は、最初の鑑別と異なる領域で行う。このように領域を変えて鑑別を行うことにより、再鑑別時における真偽鑑別の精度を向上することができる。本実施例では、再鑑別時にも磁気特性、分光特性による鑑別を行うものとしたが、これらを省略してもよい。
【００４５】
鑑別処理（ステップＳ１１）の後、制御ユニットは、再び再鑑別条件の判定を実行する（ステップＳ１２）。最初の判断時と同じ条件で再鑑別の要否を判断するものとしてもよいし、条件を変更してもよい。再鑑別の回数に上限を設けるものとしてもよい。本実施例では、再鑑別は１回に制限するものとし、ステップＳ１２およびＳ１３では無条件に再鑑別不要と判断するよう設定した。
【００４６】
ステップＳ１３において、再鑑別不要と判断されると、制御ユニットは、ユーザに、リジェクト券を返却し、真券と判断された紙幣の計数結果を提示する（ステップＳ１５）。ユーザが、この結果を確認して入金の指示を行うと（ステップＳ１６）、制御ユニットは、一時保管庫４に保管された紙幣を各保管庫に収納する（ステップＳ１７）。これと併せて、ホストコンピュータ３００との通信が行われ、取引処理が完了する。ユーザが、入金以外の指示、例えば、入金の追加などを行った場合には、改めてステップＳ１０から処理を再開する。この場合には、鑑別も通常モードから再開される。
【００４７】
以上で説明した本実施例のＡＴＭおよび紙幣取扱装置によれば、再鑑別条件を満足する場合に、紙幣の再鑑別を行うことにより真偽の鑑別精度を向上することができる。再鑑別は、常に行われる訳ではないから、鑑別処理に要する時間が増大するなどの弊害を回避できる。
【００４８】
Ｅ．変形例：
本実施例では、通常鑑別時に低解像度モードでスキャンし、再鑑別時に高解像度モードで改めてスキャンするものとした。最初の鑑別時に高解像度モードでスキャンし、その画像データを保存しておいてもよい。通常の鑑別時には、画像データの解像度を低減して真偽鑑別を行い、再鑑別時には保存されている原データで真偽鑑別を行えばよい。こうすることにより、紙幣を再搬送するまでなく再鑑別を行うことができる。
【００４９】
実施例では、再鑑別によって偽券と判断された紙幣のうち、偽券パターンデータに未登録の紙幣が存在する場合には、制御ユニットが、その画像データをホストコンピュータ３００に送信する処理を追加してもよい。こうすることにより、偽券パターンデータの充実化を図ることができる。
【００５０】
実施例では、鑑別条件を通常時と再鑑別時で切り換えるものとした（図５のステップＳ１４）。鑑別条件の切り換えは、図５中に例示した項目に限られない。これらの一部のみを切り換えても構わないし、例示した項目以外の条件を切り換えるものとしてもよい。鑑別条件の切り換え自体を省略し、通常時と同じ鑑別条件で再鑑別を行うものとしてもよい。
【００５１】
以上、本発明の種々の実施例について説明したが、本発明はこれらの実施例に限定されず、その趣旨を逸脱しない範囲で種々の構成を採ることができることはいうまでもない。例えば、以上の制御処理はソフトウェアで実現する他、ハードウェア的に実現するものとしてもよい。
【００５２】
【発明の効果】
本発明によれば、再鑑別を行うことにより、紙幣の真偽鑑別の精度を向上することができる。再鑑別は、常に行われるものではなく、再鑑別条件を満足する場合に行われるため、鑑別の所要時間が長くなることを回避でき、装置の利便性低下を抑制することができる。紙幣をユーザに返却することなく、再鑑別を行うため、ユーザに煩雑な操作を強いることもない。
【図面の簡単な説明】
【図１】実施例としての現金自動取引装置の概略構成を示す説明図である。
【図２】紙幣取扱装置１０の概略構成を示す側断面図である。
【図３】鑑別部３０の概略構成を示す説明図である。
【図４】ＡＴＭおよび紙幣取扱装置１０の機能ブロックを示す説明図である。
【図５】入金処理のフローチャートである。
【符号の説明】
１…入出金部
２…搬送部
４…一時保管庫
５、７、８、９…ゲート
６…シャッタ
１０…紙幣取扱装置
１１…リジェクトボックス
１２、１３、１４…保管庫
１２Ａ…押板
３１…イメージセンサ
３２…光学センサ
３３…回転軸
３４…ローラ
３５…磁気センサ
１０２…ＡＴＭ通信部
１０４…入出金制御部
１０５…主制御部
１０６…鑑別実行部
１０７…鑑別項目リスト
１０８…画像データ
１０９…偽券パターンデータ
２０２…制御ユニット
２０３…操作部
２０５…カード取扱機構
２０６…明細票発行機構
２０７…紙幣入出金口
２１０…主制御部
２１２…コマンド入力部
２１４…枚数設定部
２１６…ホスト通信部
２１８…指示部
３００…ホストコンピュータ
３１０…要注意口座データベース
【図１】
0004012423.tif 000002
【図２】
0004012423.tif 000003
【図３】
0004012423.tif 000004
【図４】
0004012423.tif 000005
【図５】
0004012423.tif 000006